(57)【要約】【課題】開いたときの平面形状を変形することができ、しかも閉じた状態にしたときに、親骨の関節を折ることなく親骨を簡単にまとめることができる傘を提供する。【解決手段】伸縮親骨２ａが、第１親骨２１と、第１親骨２１に沿って移動可能な第２親骨２２とを備え、第１親骨２１の一方端が上ロクロ１２に揺動可能に連結され、受骨３ａの一方端が第２親骨２２に揺動可能に連結され、受骨３ａの中途部と第１親骨２１の中途部との間に連結骨４が揺動可能に連結される。上ロクロ１２に接近する方向に下ロクロ１３が移動すると、第１親骨２１に沿って第２親骨２２が傘半径方向外方に移動し第１親骨２１の先端から突出する。【選択図】図３
2019042477.tif 000002
【特許請求の範囲】
【請求項１】
中棒と、
前記中棒の上端部に固定された上ロクロと、
前記中棒に移動可能に取り付けられた下ロクロと、
上ロクロに揺動可能に一方端が連結された複数の親骨と、
前記複数の親骨の中途部に一方端が揺動可能に連結され、他方端が下ロクロに揺動可能に連結された複数の受骨と、
を備えた傘であって、
前記親骨の少なくとも１本が、第１親骨と、第１親骨に沿って移動可能な第２親骨とを備える伸縮親骨で、
第１親骨の一方端が上ロクロに揺動可能に連結され、
前記受骨の一方端が第２親骨に揺動可能に連結され、
前記受骨の中途部と前記第１親骨の中途部との間に連結骨が揺動可能に連結され、
上ロクロに接近する方向に下ロクロが移動すると、第１親骨に沿って第２親骨が傘半径方向外方に移動し第１親骨の先端から突出することを特徴とする傘。
【請求項２】
前記受骨の一方端が、第２親骨の傘半径方向内方側の端部に連結している請求項１記載の傘。
【請求項３】
第１親骨及び第２親骨を有さない通常の親骨を少なくとも１本有し、
前記通常の親骨と前記伸縮親骨の第１親骨との間に張り付けられる第１傘布と、
前記伸縮親骨の隣りに位置する前記通常の親骨と前記伸縮親骨の第２親骨との間に張り付けられる第２傘布と、
を備える請求項１又は２に記載の傘。
【請求項４】
上ロクロから離れる方向に下ロクロが移動して傘が閉じられた状態になると、第２親骨の先端が第１親骨の先端よりも上ロクロ側に位置する状態となる請求項１〜３のいずれかに記載の傘。
【請求項５】
前記中棒から弾発的に外方に突出する係止部を有する下ハジキを前記中棒の下部に備え、
前記中棒から外方に突出した前記係止部が下ロクロに接触することによって下ロクロを係止して閉傘状態を維持し、
開いた状態の傘の平面視において、前記中棒を中心として前記係止部の前記中棒からの突出方向と、前記伸縮親骨の前記中棒からの突出方向とのなす角度が１８０°である請求項１〜４のいずれかに記載の傘。
【請求項６】
前記請求項５に記載の傘に使用される下ロクロであって、
下ハジキの係止部が係止可能な開口部を有する柱状の把持部と、
前記把持部の上部に一体成形され、前記複数の受骨の基端が揺動可能に連結される枢支部とを有し、
前記把持部と前記枢支部とには前記中棒が挿通する貫通孔が形成され、
前記枢支部における前記伸縮親骨に連結する受骨の基端の連結位置と、前記把持部の前記開口部の位置とが周方向に１８０°隔たっていることを特徴とする下ロクロ。
【発明の詳細な説明】
【技術分野】
【０００１】
本発明は傘に関し、より詳細には平面形状を変形し得る傘に関するものである。
【背景技術】
【０００２】
これまでの傘は、雨傘および日傘を問わず、同じ長さの親骨が中棒を中心として周方向に等角度に取り付けられ、傘を開くとその平面形状は略円形であった。このため、開いた傘の中棒の手元を利用者が持つと、中棒から偏倚した位置に利用者の身体が位置することになり、例えば雨傘の場合には足元や腕、肩、背中などが濡れることがあった。
【０００３】
かかる不具合を防止するためには傘の親骨を長くすることが考えられるが、親骨のすべてを長くすると、例えば傘をさした状態での狭い路でのすれ違いがしにくくなる。また中棒が長くなって傘が重くなるといった不都合が新たに生じるおそれがある。
【０００４】
そこで開いたときの傘の平面形状を略楕円形とし、前記不具合を解消しようとした傘がこれまでから種々提案されている（特許文献１〜３）。例えば、上ロクロに補助親骨を回転自在に装着し、この補助親骨に受骨と接続材を介在して親骨を可動するように装着した傘や、親骨に子骨を関節で接続して親骨の一部を長くできるようにした傘などが提案されている（特許文献３）。また、本発明者も、傘の平面形状を円形以外に変形でき、閉じた状態にしたときに、親骨の関節を折ることなく親骨を簡単にまとめられる傘を提案した（特許文献４）。
【先行技術文献】
【特許文献】
【０００５】
【特許文献１】特開２００３−９９２１号公報
【特許文献２】特開２００３−６１７２３号公報
【特許文献３】特開２００３−３１０３１９号公報
【特許文献４】特開２００７−１３０３５３号公報
【発明の概要】
【発明が解決しようとする課題】
【０００６】
しかしながら、特許文献１で提案されている傘では、親骨の長さが異なっているため傘を閉じた状態としたときに親骨をまとめにくい。また特許文献２で提案されている傘では、傘を折り畳む際に利用者が関節の所で親骨を折る必要があり面倒である。さらに特許文献３で提案されている傘では、受骨や接続材を用いるため傘を閉じた状態としたときに嵩張ることが予想される。そしてまた、特許文献４で提案される傘では部材の加工や組み立てにおいて困難性が予想される。
【０００７】
本発明はこのような従来の問題に鑑みてなされたものであり、その目的とするところは、開いたときの平面形状を変形することができ、しかも閉じた状態にしたときに、親骨の関節を折ることなく親骨を簡単にまとめることができる傘を提供することにある。
【課題を解決するための手段】
【０００８】
前記目的を達成する本発明に係る傘は、中棒と、前記中棒の上端部に固定された上ロクロと、前記中棒に移動可能に取り付けられた下ロクロと、上ロクロに揺動可能に一方端が連結された複数の親骨と、前記複数の親骨の中途部に一方端が揺動可能に連結され、他方端が下ロクロに揺動可能に連結された複数の受骨とを備えた傘であって、前記親骨の少なくとも１本が、第１親骨と、第１親骨に沿って移動可能な第２親骨とを備える伸縮親骨で、第１親骨の一方端が上ロクロに揺動可能に連結され、前記受骨の一方端が第２親骨に揺動可能に連結され、前記受骨の中途部と前記第１親骨の中途部との間に連結骨が揺動可能に連結され、上ロクロに接近する方向に下ロクロが移動すると、第２親骨が傘半径方向外方に移動し第１親骨の先端から突出することを特徴とする。
【０００９】
前記構成の傘において、前記受骨の一方端が、第２親骨の傘半径方向内方側の端部に連結している構成とするのが好ましい。
【００１０】
また前記構成の傘において、第１親骨及び第２親骨を有さない通常の親骨を少なくとも１本有し、前記通常の親骨と前記伸縮親骨の第１親骨との間に張り付けられる第１傘布と、前記伸縮親骨の隣りに位置する前記通常の親骨と前記伸縮親骨の第２親骨との間に張り付けられる第２傘布とを備える構成とするのが好ましい。
【００１１】
また前記構成の傘において、上ロクロから離れる方向に下ロクロが移動して傘が閉じられた状態になると、第２親骨の先端が第１親骨の先端よりも上ロクロ側に位置する状態となる構成とするのが好ましい。
【００１２】
また前記構成の傘において、前記中棒から弾発的に外方に突出する係止部を有する下ハジキを前記中棒の下部に備え、前記中棒から外方に突出した前記係止部が下ロクロに接触することによって下ロクロを係止して閉傘状態を維持し、開いた状態の傘の平面視において、前記中棒を中心として前記係止部の前記中棒からの突出方向と、前記伸縮親骨の前記中棒からの突出方向とのなす角度が１８０°である構成とするのが好ましい。
【００１３】
なお、前記の伸縮親骨が奇数本ある場合には、その中央の伸縮親骨と係止部となす角度が１８０°であればよく、前記の伸縮親骨が偶数本の場合は想定されていない。
【００１４】
また本発明によれば、前記記載の傘に使用される下ロクロであって、下ハジキの係止部が係止可能な開口部を有する柱状の把持部と、前記把持部の上部に一体成形され、前記複数の受骨の基端が揺動可能に連結される枢支部とを有し、前記把持部と前記枢支部とには前記中棒が挿通する貫通孔が形成され、前記枢支部における前記伸縮親骨に連結する受骨の基端の連結位置と、前記把持部の前記開口部の位置とが周方向に１８０°隔たっていることを特徴とする下ロクロが提供される。
【発明の効果】
【００１５】
本発明に係る傘によれば、傘を開くと、複数の親骨の少なくとも一本の親骨が傘の半径方向外方に伸び出すので、例えば雨傘の場合には足元や腕、肩、背中などが濡れることが有効に防止される。また傘を閉じると、傘の半径方向外方に伸び出した親骨が元の状態に戻るので、骨の関節を折ることなく親骨を簡単にまとめることができる。
【図面の簡単な説明】
【００１６】
【図１】本発明に係る傘の一例を示す平面図である。
【図２】図１の傘におけるＡ−Ａ線断面図である。
【図３】傘を開いた状態における第１親骨と第２親骨との連結構造等を示す部分拡大断面図である。
【図４】連結部材６の拡大図である。
【図５】支持部材７の拡大図である。
【図６】傘を閉じる途中の第１親骨と第２親骨と状態を示す部分断面図である。
【図７】下ハジキ１４の係止部１４１と伸縮親骨２ａとの周方向の位置関係を示す平面図である。
【図８】傘を開閉する際の下ロクロ１３と下ハジキ１４の位置関係を示す斜視図である。
【図９】傘を閉じた状態における下ロクロ１３の側面図である。
【図１０】傘を閉じた状態における下ロクロ１３の側断面図である。
【発明を実施するための形態】
【００１７】
以下、本発明に係る傘について図に基づいてさらに詳しく説明するが本発明はこれらの実施形態に何ら限定されるものではない。
【００１８】
図１に、本発明に係る傘の一例を平面図を示し、図２に、図１のＡ−Ａ線断面図を示す。なお、これらの図に記載の左右方向、前後方向、上下方向が、傘の左右方向、前後方向、上下方向である。
【００１９】
図１及び図２に示す傘は開いた状態である。傘は、中棒１１と、中棒１１の上端部に固定された上ロクロ１２と、中棒１１に摺動可能に取り付けられた下ロクロ１３とを有する。中棒１１の下部には、中棒１１から弾発的に外方に突出する係止部１４１を有する下ハジキ１４が備えられ（図１０を参照）、中棒１１の上部には下ハジキ１４と同じ構造で上下対称に配置された上ハジキ（不図示）が備えられている。下ハジキ１４及び上ハジキ（不図示）は下ロクロ１３を係止可能であって、下ハジキ１４の係止部１４１が下ロクロ１３に接触することによってに下ロクロ１３は下ハジキ１４に係止され傘は閉状態を維持し、上ハジキの係止部が下ロクロ１３に接触することによってに下ロクロ１３は上ハジキに係止され傘は開状態を維持する。下ハジキ１４の係止部１４１と下ロクロ１３との係止構造については後述する。
【００２０】
上ロクロ１２には周方向に等角度で、７本の通常の親骨２の一方端及び１本の伸縮する伸縮親骨２ａの一方端がそれぞれ揺動可能に連結されている。伸縮親骨２ａは、第１親骨２１と第２親骨２２とを備え、第２親骨２２は第１親骨２１に対して傘半径方向に移動可能に取り付けられている。第２親骨２２の取り付け構造については後述する。また、下ロクロ１３には周方向に等角度で、親骨２及び伸縮親骨２ａのそれぞれに対応する受骨３の一方端及び受骨３ａの一方端がそれぞれ揺動可能に連結されている。そして、受骨３の他方端は親骨２の中途部に揺動可能に連結され、受骨３ａの他方端は第２親骨２２の傘半径方向内方側の端部に揺動可能に連結されている。そして、受骨３ａの中途部と、第１親骨２１における受骨３ａと第２親骨２２との連結部よりも傘半径方向内側の中途部との間に連結骨４が揺動可能に連結されている。
【００２１】
図３に、第１親骨２１、第２親骨２２、受骨３ａ、連結骨４の各連結構造を示す部分拡大断面図を示す。まず、第１親骨２１と第２親骨２２との連結構造について説明する。第２親骨２２の傘半径方向内方側の端部に連結部材６が取り付けられ、第２親骨２２の中途部に支持部材７が取り付けられている。
【００２２】
図４に連結部材６の拡大図を示す。連結部材６は、上下方向に長い直方体形状の本体部６１と、本体部６１の傘半径方向外方側面から突出した突出部６２とを有する。本体部６１の上部には第１親骨２１の外径よりも若干大きい内径を有する挿通孔６１１が傘半径方向に形成され、突出部６２の傘半径方向外方側面には第２親骨２２の外径と略同一の内径を有する凹部６２１が形成されている。本体部６１の挿通孔６１１に第１親骨２１が挿通され、凹部６２１には第２親骨２２の端部が嵌め入れられる。第２親骨２２の端部の凹部６２１への取り付けには接着剤の使用など従来公知の取り付け方法が適用可能である。そして、本体部６１の下部には受骨３ａの端部がピン６３で揺動可能に支持されている。
【００２３】
図５に支持部材７の拡大図を示す。支持部材７は、傘半径方向に長い直方体形状の本体部７１と、本体部７１から上方に突出した突出部７２とを有する。本体部７１には第２親骨２２の外径と略同一の内径を有する貫通孔７１１が傘半径方向に形成され、突出部７２には第１親骨２１の外径よりも若干大きい内径を有する挿通孔７２１が傘半径方向に形成されている。突出部７２の挿通孔７２１に第１親骨２１が挿通され、本体部７１の貫通孔７１１には第２親骨２２が嵌め入れられ固定される。第２親骨２２における支持部材７の固定位置に特に限定はないが、第２親骨２２の傘半径方向略中央部が安定性に観点から推奨される。
【００２４】
図３に示すように、第２親骨２２は、連結部材６と支持部材７とによって第１親骨２１に沿って移動可能に第１親骨２１に取り付けられている。連結部材６には受骨３ａの端部が揺動可能に支持され、受骨３ａの中途部と第１親骨２１の中途部とが連結骨４で連結されている。
【００２５】
このような構造により、下ロクロ１３を中棒１１の下から上へ移動させると、親骨２は受骨３によって押し上げられて開状態となる。また伸縮親骨２ａも、第１親骨２１が受骨３ａによって押し上げられて開状態となるとともに、受骨３ａと連結骨４とのリンク機構によって第２親骨２２が第１親骨２１に沿って移動し、第１親骨２１の先端から外方に突出する。
【００２６】
反対に、開状態とした傘において下ロクロ１３を中棒１１の上から下へ移動させると、図６に示すように、親骨２は受骨３によって引き下げられて閉状態となる。また伸縮親骨２ａも、第１親骨２１が受骨３ａによって引き下げられて閉状態となるとともに、受骨３ａと連結骨４とのリンク機構によって第２親骨２２が第１親骨２１に沿って移動し、第２親骨２２の先端は第１親骨２１の先端よりも上ロクロ１２側すなわち第１親骨２１の先端よりも内方に収納される。第２親骨２２の先端は第１親骨２１の先端よりも内方に収納されることによって、親骨２及び伸縮親骨２ａの先端を中棒１１の周りに不図示のベルトの括り付けやすくなる。
【００２７】
なお、傘を開状態としたときの第１親骨２１の先端からの第２親骨２２の突出長さ及び傘を閉状態としたときの第２親骨２２の先端と第１親骨２１の先端との位置関係は、第２親骨２２や受骨３ａ、連結骨４の傘半径方向の長さ及びそれぞれの連結位置（リンク機構）などによって調整可能である。
【００２８】
また、部材の寸法誤差や組み立て誤差を考慮すると連結骨４を伸縮可能な部材として前記の誤差を連結骨４で吸収可能としてもよい。あるいは、連結骨４として例えばワイヤーなどの紐状部材を使用し、傘が閉状態では弛緩し開状態では張力が発生するように取り付けるようにしてもよい。
【００２９】
図１に示すように、親骨２及び第１親骨２１には第１傘布５１が張り付けられる。また第２親骨２２と、第２親骨２２の隣に位置する親骨２との間に第２傘布５２が張り付けられる。このように２枚の傘布５１，５２を使用することにより、傘Ｕが開状態とされて第２親骨２２が第１親骨２１から外方に突出したときに、第２傘布５２の円滑な張り出しが可能となる。また傘布が伸縮可能である場合には、１枚の傘布を親骨２及び伸縮親骨２ａに張り付けることも可能となる
【００３０】
２枚の傘布５１，５２を用いる場合、傘布５１と傘布５２とが中棒１１を中心とした周方向に連続して接合されていてもよい。傘布５１と傘布５２とが接合されていることにより、傘Ｕを開いた状態から閉じた状態としたときに傘布５２表面の雨粒が傘布５１と傘布５２との間から傘Ｕの内部に滴り落ちることが防止される。
【００３１】
傘布５１と傘布５２とが中棒１１を中心とした周方向に連続して接合されていない場合には、傘Ｕを開いた状態から閉じた状態とする際に傘布５２表面の雨粒が傘布５１と傘布５２との間から傘Ｕの内部に進入するおそれがある。このような雨粒の傘Ｕ内への進入を抑制するためには、傘Ｕを開閉しようと中棒１１を略鉛直状態から傾けた状態とする際に、親骨２，２ａの半径方向外方端の中で伸縮親骨２ａの半径方向外方端が最も地面に近くなるようにするとよい。伸縮親骨２ａの半径方向外方端が最も地面に近くなることによって傘布５２に付着していた雨粒は重力作用によって傘Ｕの半径方向外方向に流れ落ちる。
【００３２】
そこで、傘Ｕを開閉する場合に、必ず伸縮親骨２ａの半径方向外方端が親骨２，２ａの半径方向外方端の中で最も地面に近くなるようにするために、開いた状態の傘の平面視において、中棒１１を中心として下ハジキ１４の係止部１４１の中棒１１からの突出方向と、伸縮親骨２ａの中棒１１からの突出方向とのなす角度θが１８０°となるように設定するのが好ましい（図７を参照）。
【００３３】
図８に示すように、通常、使用者は傘Ｕを開ける際及び閉じる際には下ハジキ１４の係止部１４１が上を向くようにして、すなわち下ハジキ１４の係止部１４１が使用者側を向くようにして、下ロクロ１３を操作するので、下ハジキ１４の係止部１４１の中棒１１からの突出方向と、伸縮親骨２ａの中棒１１からの突出方向とのなす角度θが１８０°に設定すると、傘Ｕを開ける際及び閉じる際に必ず伸縮親骨２ａの半径方向外方端が親骨２，２ａの半径方向外方端の中で最も地面に近くなる。これにより、傘布５２に付着していた雨粒は重力作用によって傘Ｕの半径方向外方向に流れ落ちる。
【００３４】
図８〜図１０に、上記構成の傘Ｕに好適に使用される下ロクロ１３の実施形態例を示す。図８は傘Ｕを開閉する際の下ロクロ１３と下ハジキ１４の係止部１４１との状態を示す斜視図、図９は傘Ｕを閉じた状態における下ロクロ１３の側面図、図１０は傘Ｕを閉じた状態における下ロクロ１３の側断面図である。なお、図９では下ロクロ１３の縦溝１３４、横溝１３５、ワイヤＷが明確になるよう一部の受骨３が描かれていない。
【００３５】
下ロクロ１３は、円柱状の把持部１３ａと、把持部１３ａの上部に連続して形成された円板状の枢支部１３ｂとを有する。把持部１３ａと枢支部１３ｂとは、ＡＢＳ樹脂やポリカーボネート樹脂、ポリプロピレン樹脂、ポリエチレン樹脂などの樹脂材料により一体成形されている。そして、下ロクロ１３には軸方向に貫通孔１３３が形成されている。貫通孔１３３に中棒１１が挿通され、下ロクロ１３は中棒１１に対して摺動可能とされている。把持部１３ａには、軸方向に長い矩形状の開口部１３１が形成されている。また開口部１３１の半径方向外方を所定距離を隔てて覆うようにカバー部１３２が設けられている。カバー部１３２は、開口部１３１の軸方向両端の周縁から半径方向外方に延出した一対の垂直支持部１３２ａ，１３２ｂと、一対の垂直支持部１３２ａ，１３２ｂの先端間を接続した押圧部１３２ｃとから構成される。一対の垂直支持部１３２ａ，１３２ｂと押圧部１３２ｃの幅は開口部１３１と幅と略同一に設定され、押圧部１３２ｃと開口部１３１との間の距離は、後述する下ハジキ１４の係止部１４１が開口部１３１に係止したときに、係止部１４１の先端が押圧部１３２ｃに僅かに接触するか、あるいは僅かに接触しない範囲に設定される。カバー部１３２は把持部１３ａと樹脂材料等により一体成形され、押圧部１３２ｃは軸方向中央部が外方から内方に向かって押圧されると軸方向中央部が内方に撓み、押圧が解除されると元の状態に戻る動きをする。
【００３６】
枢支部１３ｂは把持部１３ａよりも大径の円板形状であって、外周には周方向に等間隔で受骨３，３ａの本数に対応した複数の縦溝１３４が形成され、またそれらの縦溝１３４を軸方向略中央を横断して周方向全体に横溝１３５が形成されている。それぞれの縦溝１３４には受骨３，３ａの基端が挿入される。受骨３，３ａの基端には軸孔３１が形成されている。受骨３，３ａの基端の枢支部１３ｂへの連結は、各々の受骨３，３ａの軸孔３１にワイヤＷが挿通され、ワイヤＷの両端を撚り結合するとともにワイヤＷを横溝１３５に格納することによって行われる。これにより受骨３，３ａは枢支部１３ｂに揺動可能に連結される。
【００３７】
図１０に示すように、下ハジキ１４は「く」に屈曲した金属製の板バネであって、一方端部が半径方向外方に拡がった係止部１４１とされている。下ハジキ１４は、中棒１１の下部に形成された軸方向に長い開口部１５から係止部１４１が外方に突出し、下ハジキ１４の他方端と屈曲部とがそれぞれ中棒１１の内壁に当接するように中棒１１内に配置される。これにより下ハジキ１４の係止部１４１は外方から内方に向かって外力が加わると中棒１１内に没し、外力が解除されると外方に突出した元の状態に戻る。係止部１４１の下面が下ロクロ１３の上方への移動を阻止する係止面となる。
【００３８】
中棒１１に沿って下ロクロ１３を下方に摺動させて傘を閉じる際、下ロクロ１３の下端が下ハジキ１４の係止部１４１に接触すると、下ロクロ１３の貫通孔１３３の内周面に押圧されて係止部１４１は中棒１１の開口部１５内に没する。そして、下ロクロ１３がさらに下方に摺動して下ロクロ１３の開口部１３１が下ハジキ１４の係止部１４１の位置に達すると、係止部１４１は弾発力によって中棒１１の開口部１５及び下ロクロ１３の開口部１３１から外方に突出する。これにより、係止部１４１の係止面が下ロクロ１３の開口部１３１の下内面に当接し閉傘状態が維持される。
【００３９】
一方、閉傘状態から開傘状態にする場合には、下ロクロ１３の押圧部１３２ｃに力を加えて下ハジキ１４の係止部１４１を中棒１の開口部１５内に押し入れる。これにより、係止部１４１の係止面と下ロクロ１３の開口部１３１の下内面との係止が解除されて下ロクロ１３は上方へ移動可能となる。下ロクロ１３を上方へ移動させると、受骨３，３ａによって親骨２，２ａが引き上げられて次第に傘Ｕは開かれる。そして、不図示の上ハジキで下ロクロ１３が係止されて傘Ｕの開傘状態が維持される。なお、上ハジキ（不図示）は、下ハジキ１４と略同形状であって、下ハジキ１４とは上下逆にして中棒１１の上部に埋め込まれている。
【００４０】
このような下ロクロ１３と下ハジキ１４の構造において重要なことは、枢支部１３ｂの伸縮親骨２ａに連結した受骨３ａの基端の連結位置と、把持部１３ａの開口部１３１の位置とが周方向に１８０°隔たった位置としていることである。これにより、傘Ｕを開閉する場合に伸縮親骨２ａの半径方向外方端が親骨２，２ａの半径方向外方端の中で最も地面に近くなるようになる。
【００４１】
以上の説明のように、本発明の傘では、傘を開閉する動作に伴って伸縮親骨２ａが伸縮するので、利用者は親骨を伸縮させるための特別の動作を行う必要がなく利便性に優れる。
【００４２】
以上説明した実施形態の傘では、伸縮する親骨は１本であったがこれに限定されるものではなく、２本以上の親骨が伸縮可能としても構わない。あるいはすべての親骨が伸縮可能としてもよい。親骨の伸縮機構は前記実施形態と同様である。また、上述の実施形態では親骨２，２ａの本数は８本であったがこれに限定されるものではなく、９本以上あるいは７本以下であっても勿論構わない。
【００４３】
また、下ロクロ１３は手動により移動させてもよいし、バネなどによって移動させてもよい。
【産業上の利用可能性】
【００４４】
本発明に係る傘は、傘を開くと、複数の親骨の少なくとも一本の親骨が傘の半径方向外方に伸び出すので、例えば雨傘の場合には足元や腕、肩、背中などが濡れることが有効に防止される。また傘を閉じると、傘の半径方向外方に伸び出した親骨が元の状態に戻るので、骨の関節を折ることなく親骨を簡単にまとめることができ有用である。
【符号の説明】
【００４５】
Ｕ  傘
２  親骨
２ａ  伸縮親骨
３  受骨
３ａ  受骨
４  連結骨
６  連結部材
７  支持部材
Ｗ  ワイヤ
１１  中棒
１２  上ロクロ
１３  下ロクロ
１３ａ  把持部
１３ｂ  枢支部
１４  下ハジキ
１５  開口部
２１  第１親骨
２２  第２親骨
１３１  開口部
１３２  押圧部
１３３  貫通孔
１３４  縦溝
１３５  横溝
１４１  係止部
【図１】
2019042477.tif 000003
【図２】
2019042477.tif 000004
【図３】
2019042477.tif 000005
【図４】
2019042477.tif 000006
【図５】
2019042477.tif 000007
【図６】
2019042477.tif 000008
【図７】
2019042477.tif 000009
【図８】
2019042477.tif 000010
【図９】
2019042477.tif 000011
【図１０】
2019042477.tif 000012